(57)【要約】    【課題】この発明は、製造コストが安く、しかも安定した電気的接続性を得るようにした電気コネクタの接続端子を提供する。      【解決手段】導電端子の接続部表面１１ａに溝２０を形成するとともに、この溝２０を接続部１１の裏面から表面側へ向け凸形状に湾曲変形させて接続端子の表面１１ａに湾曲凸部３０を形成し、この溝２０の両側に形成されたエッジ部２０ａを湾曲凸部３０の表面に位置させるようにした。  【選択図】  図３
2006228669.tif 000002
【特許請求の範囲】
【請求項１】
導電端子を有する電気コネクタにおいて、
前記導電端子の接続部表面に溝を形成するとともに、該溝を前記接続部の裏面から表面側へ向け凸形状に湾曲変形させて前記接続部の表面に湾曲凸部を形成し、
前記溝の両側に形成されたエッジ部を前記湾曲凸部の表面に位置させるようにしたことを特徴とする電気コネクタの導電端子。
【請求項２】
前記溝は前記接続部の表面上で一本の直線状に形成されていることを特徴とする請求項１に記載の電気コネクタの導電端子。
【請求項３】
前記溝は前記接続部の表面上で十字形状に形成されていることを特徴とする請求項１に記載の電気コネクタの接続端子。
【請求項４】
前記溝は前記接続部の表面上でローレット目形状に形成されていることを特徴とする請求項１に記載の電気コネクタの接続端子。
【請求項５】
導電端子を有する電気コネクタにおいて、
前記導電端子の接続部表面に長孔を形成するとともに、該長孔を前記接続部の裏面から表面側へ向け凸形状に湾曲変形させて前記接続部の表面に湾曲凸部を形成し、
前記長孔の両側に形成されたエッジ部を前記湾曲凸部の表面に位置させるようにしたことを特徴とする電気コネクタの導電端子。
【請求項６】
前記長孔は前記接続部の表面上で一本の直線形状に形成されていることを特徴とする請求項５に記載の電気コネクタの導電端子。
【請求項７】
前記長孔は前記接続部の表面上で十字形状に形成されていることを特徴とする請求項５に記載の電気コネクタの接続端子。
【請求項８】
前記長孔は前記接続部の表面上でローレット目形状に形成されていることを特徴とする請求項５に記載の電気コネクタの接続端子。
【発明の詳細な説明】
【技術分野】
【０００１】
この発明は、電気コネクタに関するもので、詳しくは基板と基板、もしくはケーブルと基板とを接続する電気コネクタに関し、特にこれらの電気コネクタ内に配設された導電端子の改良に関する。
【背景技術】
【０００２】
従来から、基板と基板、もしくはケーブルと基板とを接続する電気コネクタ（プラグコネクタ、リセプタクルコネクタ）としては各種のものが使用されているが、これらの電気コネクタではいずれもその内部に配設された導電端子を介し電気コネクタ間の電気的な接続を図っている。
【０００３】
一方、上述した電気コネクタでは、その内部に配設された接続端子の接続部（直接接触する部分）に異物等が付着すると、これが原因となってこの接続部と、この接続部に圧接する他方の接続端子の接続部との間の良好な電気的接続が損なわれる虞がある。
【０００４】
そこで、従来から電気コネクタ間における各接続端子間の良好な電気的接続を確保するため、一方の接続端子の接続部に、その裏面からプレス加工等の加工を施して、その表面に凸状の突起（ピンプル）を打ち出し、その突起を他方の接続端子の接続部に当接させて接続部上に付着した異物を排除し、これにより良好な各接続端子間の電気的接続を図るようにしたものがある。
【０００５】
しかしながらこの従来例の場合、上述した突起の先端を鋭利な形状にすることが困難で異物排除性に欠け安定した電気的接続を得ることが出来ない難点がある。
【０００６】
また、従来では図９の要部断面図で示すように、一方の接続端子１の接続部表面３にＶ字形状の溝４あるいは凹部を形成し、他方の接続端子２の接続部表面５を円弧形状（Ｒ形状）に形成するようにしたものがある。
【０００７】
このような従来例では、他方の接続端子２の円弧形状の接続部表面５を一方の接続端子１のＶ字形状の溝４が形成された接続部表面３に当接させるとＶ字形状の溝４のエッジ部４ａ（稜線部分）で他方の円弧形状の接続部表面５を引っかいて異物を取り除き（いわゆるワイピング効果）、その結果エッジ部４ａを接触点とし各接続端子１、２間の安定した電気的接続を得ることが出来るようにしている（特開２００４−１１１０８１号、図１３、図１４参照）。
【特許文献１】特開２００４−１１１０８１号公報
【発明の開示】
【発明が解決しようとする課題】
【０００８】
ところで、図９に示す従来の接続端子１，２の各接続部表面３，５の構造によると、一方の接続端子１の接続部表面３にＶ字形状の溝４を形成し、さらに他方の接続端子２の接続部表面５を円弧形状に形成しなければならないため接続端子の製造工程数が多くコストアップの要因となっていた。
【０００９】
この発明は、上述した事情に鑑み、製造コストが安く、しかも安定した電気的接続性を得るようにした電気コネクタの接続端子を提供することを目的とする。
【課題を解決するための手段】
【００１０】
上述した課題を解決するため、この出願の第１の発明では、導電端子を有する電気コネクタにおいて、前記導電端子の接続部表面に溝を形成するとともに、該溝を前記接続部の裏面から表面側へ向け凸形状に湾曲変形させて前記接続部の表面に湾曲凸部を形成し、前記溝の両側に形成されたエッジ部を前記湾曲凸部の表面に位置させるようにしている。
【００１１】
またこの出願の第２の発明では、導電端子を有する電気コネクタにおいて、前記導電端子の接続部表面に長孔を形成するとともに、該長孔を前記接続部の裏面から表面側へ向け凸形状に湾曲変形させて前記接続部の表面に湾曲凸部を形成し、前記長孔の両側に形成されたエッジ部を前記湾曲凸部の表面に位置させるようにしている。
【発明の効果】
【００１２】
上述した、本願発明の電気コネクタの接続端子によると、接続部の表面に溝あるいは長孔を形成するとともに、該溝あるいは長孔の表面側を前記接続部の裏面から表面側へ向け凸形状に湾曲変形させて湾曲凸部を形成し、この溝あるいは長孔の両側に形成された一対のエッジ部（稜線部）を湾曲凸部の表面に位置させるようにしたため、この湾曲凸部に平板な他方の接続端子を圧接させると当該溝あるいは長孔の一対のエッジ部が前記圧接する他方の接続端子の表面上で互いに接近するように変位し、このため前記溝あるいは長孔の一対のエッジ部が相手方の接続部の表面を引っかいて異物を取り除き（いわゆるワイピング効果）、この一対のエッジ部が接点として両接続端子間の安定した電気的接続性を確保することが出来る。
【００１３】
また、互いに接続される一対の電気コネクタのうち一方の電気コネクタの接続端子に上述した溝あるいは長孔を有する湾曲凸部を形成すればよいから、接続端子の製造工程も簡単となり、安価でしかも安定した電気的接続性を確保した電気コネクタの接続端子を提供することができる。
【発明を実施するための最良の形態】
【００１４】
以下、この発明に係る電気コネクタの接続端子の一実施例を詳述する。
【００１５】
図１はこの発明に係る接続端子１０の接続部１１を示す要部破断平面図である。
【００１６】
この接続部１１は一枚の平坦な平板１２からなり、その表面１１ａの中央には長手方向に沿って一本の溝２０が形成されている。
【００１７】
一方、この溝２０の周辺は、図１のＡＡ断面で示す図２のように、接続部１１の裏面１１ｃから表面１１ｂ側へ向け凸形状に湾曲変形され、そこに湾曲凸部３０が形成されている。なお、前記溝２０の両側に形成された一対のエッジ部２０ａ（稜線部分）は上述した湾曲凸部３０の表面に位置することとなる。
【００１８】
上述した構造の接続端子１０によると、図３の矢印Ｂで示すように湾曲凸部３０の溝２０に平板な他方の接続端子４０の接続部４１を圧接させ、これにより湾曲凸部３０を上方から下方へ向けて押圧し変形させると、矢印Ｃで示すように溝２０の一対のエッジ部２０ａが圧接する他方の接続部４１の表面４１ａ上で互いに接近するように変位し、このため前記一対のエッジ部２０ａが相手方の接続部４１の表面４１ａを引っかいて異物を取り除き（いわゆるワイピング効果）、これにより一対のエッジ部２０ａが接点となって両接続端子１０，４０間の安定した電気的接続性を確保することとなる。
【００１９】
なお、上述した湾曲凸部３０を形成するには、図４の平面図で示すように接続部１１の平坦な平板１２の表面１１ａに、その中央長手方向に沿って一本の溝２０を形成し、その後図４のＤＤ断面で示す図５の矢印Ｅ方向からプレス加工を施す簡単な加工で、図２に示す湾曲凸部３０が形成される。
【００２０】
なお、上記実施例では、接続部１１の平坦な平板１２の表面１１ａに、その中央長手方向に沿って一本の溝２０を形成するようにしたが、上述した溝２０の形状は、上記実施例に限定されることなく、図４と同一部分を同一符号で示す図６のように、接続部表面１１ａ上で十字形状に形成しても良く、また図７で示すように、ローレット目形状に形成しても良くその平面形状は限定されない。
【００２１】
また上記実施例では、ワイピング効果を発揮するエッジ部２０ａを溝２０により形成するようにしたが、この発明は上記実施例に限定されることなく、エッジ部２０ａを溝に代えて溝と同様な断面形状を有する図８のような長孔５０により形成しても良く、その長孔の形状も図６で示すように十字形状の長孔でも良く、また図７に示すローレット目形状の長孔でも良くその形状は限定されない。
【産業上の利用可能性】
【００２２】
以上説明したように、この発明は、製造コストが低く、しかも安定した電気的接続性を得るようにした電気コネクタの接続端子に適している。
【図面の簡単な説明】
【００２３】
【図１】図１はこの発明に係る導電端子の要部破断平面図。
【図２】図２は図１のＡＡ断面図。
【図３】図３はこの発明に係る導電端子の作用を示す要部概念拡大断面図。
【図４】図４はこの発明に係る導電端子の製造方法を示す要部破断平面図。。
【図５】図５は図４のＤＤ断面図。
【図６】図６はこの発明に係る導電端子の他の実施例を示す要部破断平面図。
【図７】図７はこの発明に係る導電端子の他の実施例を示す要部破断平面図。
【図８】図８はこの発明に係る導電端子の他の実施例を示す要部断面図。
【図９】図９は従来の導電端子を示す要部断面図。
【符号の説明】
【００２４】
１０…導電端子
１１…接続部
１１ａ…接続部表面
１１ｂ…表面
１１ｃ…裏面
２０…溝
２０ａ…エッジ部
３０…湾曲凸部
５０…長孔
【図１】
2006228669.tif 000003
【図２】
2006228669.tif 000004
【図３】
2006228669.tif 000005
【図４】
2006228669.tif 000006
【図５】
2006228669.tif 000007
【図６】
2006228669.tif 000008
【図７】
2006228669.tif 000009
【図８】
2006228669.tif 000010
【図９】
2006228669.tif 000011